(57)【要約】      （修正有）【課題】経験の少ない職人が迅速かつ容易に建設現場で作業手順を理解でき、これにより、施工の遅れを回避し、工期の短縮に寄与する作業手順書、および施工方法を提供する。【解決手段】複数の作業工程からなる個別邸の施工のための作業手順書であって、複数の作業工程の内、所定の作業工程の作業日程を表示した日程表示部１０１と、所定の作業工程における作業内容を表示した説明表示部１０２と、所定の作業工程に対応する作業部位を３次元で図示した３次元図表示部１０３と、を有する作業工程図１が、１つの表示シートに、複数の作業工程順に配列している。【選択図】図２Ａ
2020121432.tif 000002
【特許請求の範囲】
【請求項１】
複数の作業工程からなる個別邸の施工のための作業手順書であって、
前記複数の作業工程の内、所定の作業工程の作業日程を表示した日程表示部と、
前記所定の作業工程における作業内容を表示した説明表示部と、
前記所定の作業工程に対応する作業部位を３次元で図示した３次元図表示部と、を有する作業工程図が、
１つの表示シートに前記複数の作業工程順に配列した作業手順書。
【請求項２】
前記表示シートは、防水性を有するシートである、請求項１に記載の作業手順書。
【請求項３】
前記説明表示部は、施工すべき部材を組み付ける寸法や方法、順番、使用すべき道具一覧、及び、工程で組みあがった寸法精度を表示した、請求項１または２に記載の作業手順書。
【請求項４】
前記作業工程図が、前記１つの表示シートに前記作業日程に応じて必要な枚数が配列された、請求項１から３のいずれかに記載の作業手順書。
【請求項５】
複数の作業工程からなる個別邸の施工方法であって、
前記複数の作業工程の内、所定の作業工程の作業日程を設定し、
前記所定の作業工程における作業内容の説明を作成し、
前記所定の作業工程に対応する作業部位を３次元で図示した前記個別邸の３次元図を作成し、
前記作業日程と、前記説明と、前記３次元図と、を有する作業工程図を、前記複数の作業工程の各々について作成し、
前記複数の作業工程図が作業工程順に配列した作業手順書を作成し、
１つの表示シートに前記作業手順書を印刷し、
前記印刷された作業手順書を前記個別邸の建築現場に掲示して施工を行う、個別邸の施工方法。
【請求項６】
前記個別邸の建築現場に設置された表示装置が、前記作業手順書を表示する、請求項５に記載の個別邸の施工方法。
【請求項７】
前記個別邸の建築現場の職人が有する携帯端末が、前記作業手順書を表示する、請求項５に記載の個別邸の施工方法。
【請求項８】
前記現場に掲示された作業手順書を撮像装置により撮像し、当該撮像された作業手順書の画像データを電気通信回線を介して施工管理者に送信し、前記個別邸の施工の進捗を管理する、請求項５に記載の個別邸の施工方法。
【請求項９】
前記複数の作業工程図が前記作業日程に応じて必要な枚数が配列した作業手順書を作成する、請求項５に記載の個別邸の施工方法。
【請求項１０】
複数の作業工程からなる個別邸の施工方法であって、
情報処理装置に前記複数の作業工程の内、所定の作業工程の作業日程を入力し、
前記情報処理装置に前記所定の作業工程における作業内容の説明を入力し、
前記情報処理装置に前記所定の作業工程に対応する作業部位を３次元で図示した前記個別邸の３次元図を入力し、
前記情報処理装置が、前記作業日程と、前記説明と、前記３次元図と、を有する作業工程図を、前記複数の作業工程の各々について生成し、
前記情報処理装置が、前記複数の作業工程図が作業工程順に配列した作業手順書を生成し、
印刷装置が、１つの表示シートに、前記作業手順書を印刷し、
前記印刷された作業手順書を前記個別邸の建築現場に掲示して前記個別邸の施工を行う、個別邸の施工方法。
【請求項１１】
前記個別邸の建築現場に設置された表示装置が、前記作業手順書を表示する、請求項１０に記載の個別邸の施工方法。
【請求項１２】
前記個別邸の建築現場の職人が有する携帯端末が、前記作業手順書を表示する、請求項１０に記載の個別邸の施工方法。
【請求項１３】
撮像装置が、前記現場に掲示された作業手順書を撮像し、当該撮像された作業手順書の画像データを電気通信回線を介して施工管理者が有する端末装置に送信し、前記個別邸の施工の進捗を管理する、請求項１０に記載の個別邸の施工方法。
【請求項１４】
前記情報処理装置が、前記複数の作業工程図が前記作業日程に応じて必要な枚数が配列した作業手順書を生成する、請求項１０に記載の個別邸の施工方法。
【発明の詳細な説明】
【技術分野】
【０００１】
本発明は、作業手順書、及び、個別邸の施工方法に関する。
【背景技術】
【０００２】
ログハウス（ログ(log)で構成された住宅のこと）は、いわゆる丸太軸組工法により建築される。近年、丸太軸組工法になじみのない職人が増加しており、職人不足への対策が急務となっている。このようなことから、経験の少ない職人が迅速かつ容易に建設現場で作業手順を理解できる手法が求められている。
【０００３】
従来は、大工を中心とする各職人が建築現場で、標準詳細図、共通施工要領書及び個別建築設計図等から、個別邸の各寸法・要素等を割り出し施工していた。現場にて、各寸法・要素等を割り出す必要があることから、部位の標準詳細図の提示されているページ探しに時間がかかる、標準詳細図・施工要領書等の読み間違いによる手直し、親方が計算等している間の子方の手待ち、及び、建築設計図における寸法出し等、の時間の無駄が多く発生していた。このような無駄な時間は工期の長期化につながりかねない。
【０００４】
さらに、住宅施工は、施工コスト制約から、施工管理者が現場に常駐していないことがある。施工は職人の責任者（鳶の親方・棟梁）が経験と邸別の基礎伏図、平面図、立面図、展開図、床伏図、小屋伏図、プレカット製作図、床・壁・屋根パネル製作図、邸別でない標準納まり図を参照しながら作業が進められる。しかしながら、施工責任者の経験が浅い場合には、通常の邸別図面、標準納まり図だけでは理解できず、施工管理者に連絡し指示を受け、施工が行われる。その間は作業は中断し、所定の施工がその日に終わらない場合もある。
【０００５】
通常は電話で連絡が行われるが、電話がすぐにつながらない、あるいは、施工管理者もその疑問点を電話のみで的確に把握することが難しい場合もある。例えば、基礎上部土台の勝ち負けは必ずしも図面に明示されていない。職人が経験により判断して、勝ち負けを推定している。そのため、施工が遅れたり、手戻りが発生したりする場合もある。
【０００６】
特許文献１には、画像データ格納手段に格納されているイラストの画像データから、空枠のある手順書の画像データをコンピュータシステムにおける表示装置の画面に表示させ、画像データ格納手段に格納されている所定のイラストの画像データを取出して表示装置の画面に表示されている画像データの空枠に貼りつけ、空枠に貼り付けたイラストの配置或いは大きさを調整すると共に注意事項を入力して所定の作業手順書或いは点検作業書を作成する方法が開示される。
【０００７】
特許文献２には、製品を構成するアセンブリ構造を記憶する製品データ記憶部と、アセンブリ構造に基づいて作業対象部品のアセンブリ構造図と作業図を作成する図面作成部と、製品を構成する部品の属性情報を部品ごとにそれぞれ記憶する部品情報記憶部と、部品の注記情報を記憶する注記情報記憶部と、部品と他の部品との部品関係情報を記憶する部品関係情報記憶部と、作業対象部品及びその作業対象部品に対して作業上関連する部品について、部品情報記憶部、注記情報記憶部、部品関係情報記憶部を検索して作業内容と注記事項を作業ごとに生成する注記生成部と、アセンブリ構造図、作業図、作業内容、注記事項をレイアウトして作業指図書を作成する作業指図書作成部を具備する作業指図書作成装置が開示される。
【先行技術文献】
【特許文献】
【０００８】
【特許文献１】特開2001-243485号公報
【特許文献２】特許第4505277号公報
【発明の概要】
【発明が解決しようとする課題】
【０００９】
しかしながら、特許文献１の作業手順書は、イラストと注意事項が一体的に記載されているものの、イラストが作業内容の詳細を示していないため、経験の少ない職人では、作業手順書から具体的な作業内容を理解することが難しい。
【００１０】
また、特許文献２の作業指図書は、注記事項が作業ごとに記載されているものの、日毎の作業量が示されていないため、職人は１日の作業量がわからない。
【００１１】
本発明は、これらのような従来の問題を解決するためになされたもので、経験の少ない職人が迅速かつ容易に建設現場で作業手順を理解できる作業手順書を提供することを目的とする。
【課題を解決するための手段】
【００１２】
本発明は、複数の作業工程からなる個別邸の施工のための作業手順書であって、複数の作業工程の内、所定の作業工程の作業日程を表示した日程表示部と、所定の作業工程における作業内容を表示した説明表示部と、所定の作業工程に対応する作業部位を３次元で図示した３次元図表示部と、を有する作業工程図が、１つの表示シートに、複数の作業工程順に配列した。
【００１３】
本発明は、複数の作業工程からなる個別邸の施工方法であって、複数の作業工程の内、所定の作業工程の作業日程を設定し、所定の作業工程における作業内容の説明を作成し、所定の作業工程に対応する作業部位を３次元で図示した個別邸の３次元図を作成し、作業日程と、説明と、３次元図と、を有する作業工程図を、複数の作業工程の各々について作成し、複数の作業工程図が作業工程順に配列した、作業手順書を作成し、１つの表示シートに作業手順書を印刷し、印刷された作業手順書を個別邸の建築現場に掲示して施工を行う。
【発明の効果】
【００１４】
本発明の作業手順書によれば、経験の少ない職人が迅速かつ容易に建設現場で作業手順を理解できる。
【図面の簡単な説明】
【００１５】
【図１】実施形態の作業手順書を示す図。
【図２Ａ】作業工程図１を示す図。
【図２Ｂ】作業工程図２を示す図。
【図２Ｃ】作業工程図３を示す図。
【図２Ｄ】作業工程図４を示す図。
【図３】実施形態の個別邸の施工方法のフローチャート。
【図４】ログハウスの施工工程の一例を示す図。
【図５】実施形態の個別邸の施工方法を実行するための情報処理装置のブロック図。
【発明を実施するための形態】
【００１６】
以下、実施形態である作業手順書について、図を参照して詳細に説明をする。
【００１７】
図１は、実施形態の作業手順書を示す図である。
【００１８】
実施形態の作業手順書１００は、1枚のW1820mm×H1300mmの表示シートからなる。表示シートは、通常の紙、布、平板等、表面に印刷できる素材であればよい。実施形態の作業手順書１００の表示シートは、ターポリン製等の防水シートであることが好ましい。防水シートとすることにより、建築現場等の屋外に設置する場合に、雨によりシートが破損したり印刷が消えることを防ぐことができる。なお、防水シートの素材はターポリンに限られず、防水性を有する素材であればよい。
【００１９】
また、実施形態の作業手順書は表示シートであるが、建築現場の表示装置（大画面ディスプレイ、タブレット、プロジェクタ等）に表示することでもよい。
【００２０】
図１に示すように、作業手順書１００の表示シートの表面（一面）は4列×4行の計16領域に区画されており、ここに、個別邸の作業工程１〜１６の作業内容を示す図（作業工程図１〜１６とする）が作業工程順に各々配列される。なお、ここで例示する作業工程図１〜１６は、個別邸のログハウス建築工程の一部である。１つの作業手順書１００に設ける作業工程図の数は16に限られず、例えば、表示最大数、作業日程（例えば、1日中の時間、午前中の時間、または、午後中の時間、等）に応じて割り当てられた必要な複数の作業工程図を配列することでもよい。
【００２１】
図２は、作業工程図を示す図である。ここでは、例として、作業手順書１００に配列された作業工程図１〜１６の内、作業工程順の作業工程図１〜４について説明する。図２Ａは、作業工程図１を示し、図２Ｂは、作業工程図２を示し、図２Ｃは、作業工程図３を示し、図２Ｄは、作業工程図４を示す。
【００２２】
このように、複数の作業工程を１枚の作業手順書に配列することにより、職人は、作業内容、及び、次作業（次工程）の内容を作業現場でいつでも確認することができる。また、作業現場に作業手順書を掲示することにより、職人全員が、作業内容、及び、次作業（次工程）のイメージを共有できる。これにより、先回りした作業が可能となる。
【００２３】
図２Ａ〜Ｄに示すように、作業工程図１〜４は、日程表示部１０１と説明表示部１０２と３次元図表示部１０３を各々有する。
【００２４】
日程表示部１０１には、作業工程図１〜４の各作業工程に対応する作業が行われる、日、日付、時間、及び、時刻等の作業日程が各々配置される。図２Ａ〜Ｄでは「１日目ＡＭ」が配置される。以降、「１日目ＰＭ」、「２日目ＡＭ」、「２日目ＰＭ」の順の配置となる。ただし、これに限られず、作業工程によっては、より大まかに時間を設定して「１日目」、「２日目」としてもよいし、より細かく時間を設定して「１日目8：00〜10：00」、「１日目10：00〜12：00」としてもよい。また、カレンダー通りの日付（2018年1月1日など）を配置してもよい。
【００２５】
このように、作業工程図に日程表示部を設けることにより、職人は、事前に、日々毎に計画終了時刻または日付を確認することができ、現場でより視覚的に施工の進捗を確認することができる。また、職人間では、作業スピードに差があるが、期待されている作業スピードを知ることができる。
【００２６】
説明表示部１０２には、作業工程図１〜４の各作業工程に対応する作業内容を示す説明が各々配置される。図２Ａでは、「断熱区画の作業内容、及び、注意事項」、及び、「使用する接着剤」のテキストが配置される。説明はこれに限られず、施工の進捗に応じ、施工すべき部材を組み付ける寸法や方法、順番、使用すべき道具一覧、及び、工程で組みあがった寸法精度等のテキストであってもよい。また、テキストのみならず、イラスト・画像を併用した説明でもよい。
【００２７】
説明表示部１０２に配置される「寸法」は、作業現場ではなく事前に事務所で割り出されたものである。
【００２８】
このように、作業工程図に説明表示部を設けることにより、熟練度の低い職人でも、作業内容を容易に理解でき、施工の手戻りや施工の不良を防止できる。これにより、施工の遅延を防止できるとともに、職人の作業効率向上に寄与する。
【００２９】
３次元図表示部１０３には、作業工程図１〜４の各作業工程に対応する作業内容を、斜視図等の３次元図が各々配置される。
【００３０】
３次元図は、施工工程の進捗に合わせて複数作成される。３次元図は、作業工程図１〜４に対応する作業で加工・使用される部材が、３次元的に組み合わさるように各々描画される。
【００３１】
例えば、作業工程図１に対応する作業は、断熱区画に板状断熱材を張り付ける作業でありであり、作業工程図２に対応する作業は、スミ出し作業であり、作業工程図３に対応する作業は、基礎パッキンを配置する作業であり、作業工程図４に対応する作業は、土台を設置する作業である。作業工程図１〜４の３次元図表示部１０３からは、これらの作業内容が３次元のビジュアルで示される。
【００３２】
３次元図は、施工に先立ち作成された基礎伏図、平面図、立面図、展開図、床伏図、小屋伏図、プレカット製作図、床・壁・屋根パネル製作図を元に邸別（個別邸ごと）に作成される。
【００３３】
図２Ｂ、Ｄに示すように、３次元図には、施工に必要な寸法が記載されている。図２Ｄに示すように、３次元図には、部材の勝ち負けが記載されている。
【００３４】
なお、作業手順書のすべての作業工程図について３次元図を使用する必要はなく、２次元図を含んでもよい。また、作業手順書のすべての作業工程図について図を使用する必要はなく、作業内容に応じて、テキストのみのページを含んでもよい。
【００３５】
このように、作業工程図に３次元図表示部を設けることにより、２次元図と比較した場合、熟練度の低い職人でも、作業内容を容易に理解でき、施工の手戻りや施工の不良を防止できる。つまり、２次元図のみから立体構造を想像することはある程度の経験・スキルが必要であるが、実施形態の作業手順書では３次元図が用いられているため、理解が容易である。
【００３６】
さらに、作業工程図に３次元図表示部を設けることにより、施工に必要な寸法、要素、勝ち負け、等が明示される。これにより、寸法計算を現場で行う必要がなくなり、勝ち負けも職人の経験による判断が不要になる。これにより、現場作業を中止しての、現場での計算や判断を行う無駄な時間がなくなり、施工の遅延を防止できる。
【００３７】
次に、実施形態の作業手順書の作成方法、及び、作業手順書を使用した個別邸の施工方法について説明する。なお、実施形態の作業手順書の具体的な内容については上記で説明したため、重複する内容については説明を適宜省略する。
【００３８】
図３は、実施形態の個別邸の施工方法のフローチャートである。
【００３９】
個別邸の作業工程を決定する（ＳＴＥＰ１）。図４は、個別邸の作業工程の例を示す。図４に示すように、作業工程は、基礎部位施工工程、１階施工工程、２階施工工程、ベランダ施工工程、母屋施工工程、屋根パネル施工工程、屋根施工工程、鼻隠し施工工程、及び、デッキ施工工程等の複数の工程を含む。さらに、上記各施工工程は、複数の作業工程を含む。例えば、図４に示すように、基礎部位施工工程は、断熱区画施工工程、土台・大引きスミ出し工程、基礎パッキン設置工程、土台・大引き設置工程、根太材設置工程、床パネル配置工程、及び、段差パッキン取付工程を含む。
【００４０】
各施工工程の作業に要する時間から、作業工程に割り当てる日、日付、時間、及び、時刻等の作業日程を決定する（ＳＴＥＰ２）。実施形態では、「１日目ＡＭ」、「１日目ＰＭ」、「２日目ＡＭ」、「２日目ＰＭ」内で、作業が完了しうる作業工程をグループ化して、各グループ内の作業工程に同じ日程を割り当てる。例えば、図４に示すように、断熱区画施工工程、土台・大引きスミ出し工程、基礎パッキン設置工程、及び、土台・大引き設置工程には「１日目ＡＭ」が割り当てられ、根太材設置工程には、「１日目ＰＭ」が割り当てられ、床パネル配置工程には「２日目ＡＭ」が割り当てられ、段差パッキン取付工程には「２日目ＰＭ」が割り当てられる。
【００４１】
個別邸の施工要領書から、各作業工程に、作業内容、注意事項、施工すべき部材を組み付ける寸法や方法、順番、使用すべき道具一覧、及び、工程で組みあがった寸法精度等の説明（テキスト等）を作成する（ＳＴＥＰ３）。
【００４２】
個別邸の基礎伏図、平面図、立面図、展開図、床伏図、小屋伏図、プレカット製作図、床・壁・屋根パネル製作図等の図書から、個別邸の３次元モデルを生成する（ＳＴＥＰ４）。
【００４３】
３次元モデルから、各作業工程に対応する作業部位を３次元で説明する３次元図を作成する（ＳＴＥＰ５）。
【００４４】
各作業工程に対応する作業日程、説明、３次元図を１枚の図にまとめて、各作業工程図を作成する（ＳＴＥＰ６）。
【００４５】
所定数の作業工程図を作業工程順に並べて、１枚の図にまとめることにより、作業手順書が完成する（ＳＴＥＰ７）。完成した作業手順書は表示シート（防水シート等）に印刷される。１つの作業手順書に配列する作業工程図の数は、表示最大数、作業日程（例えば、1日中の時間、午前中の時間、または、午後中の時間、等）に応じて割り当てられた必要な複数の作業工程図を配列することでもよい。
【００４６】
表示シートに印刷された作業手順書を、個別邸の建設現場に掲示して、個別邸の施工を行う（ＳＴＥＰ８）。実施形態の作業手順書が防水シートである場合には、屋外の現場における雨等の天候にも耐えうる。
【００４７】
なお、表示シートに印刷するのではなく、実施形態の作業手順書を、現場に設置された大画面ディスプレイに表示してもよい。もしくは、現場の個々の職人が所有するスマートフォン、タブレット等の携帯端末に表示することでもよい。
【００４８】
職人は、現場にて実施形態の作業手順書を見て、現在の作業内容を確認する。実施形態の作業手順書には、作業内容、注意事項、施工すべき部材を組み付ける寸法や方法、順番、使用すべき道具一覧、及び、工程で組みあがった寸法精度等が示された説明部があることから、職人は、間違いない施工が可能となる。さらに、説明部には作業内容が明示されていることから、職人が現場で「探す」、「考える」、「計算する」、「割り出す」等を行うための作業時間が低減され、特に寸法計算を現場で行う必要がなくなることから、施工の遅延を防止できる。さらに、作業工程図は３次元表現であることから、職人は現場で作業全体を理解しやすい。
【００４９】
さらに、実施形態の作業手順書はある程度の大きさがあることから、実施形態の作業手順書を作業現場に掲示することにより、職人全員が同時に作業手順書を見ることが可能である。これにより、職人間の作業内容の共有が可能となる。
【００５０】
さらに、実施形態の作業手順書は、複数の工程が順に配列されていることから、職人は、作業内容、及び、次作業（次工程）の内容を作業現場でいつでも確認することができる。また、作業現場に作業手順書を掲示することにより、職人全員が、作業内容、及び、次作業（次工程）のイメージを共有できる。これにより、先回りした作業が可能となる。
【００５１】
さらに、実施形態の作業手順書は、作業工程ごとの日程表示が設けられているため、職人は、現場にて、例えば１日の作業量を確認することができ、職人の工期意識が醸成される。
【００５２】
実施形態の作業手順書を使用した個別邸の施工方法では、所定の作業が完了した場合には、現場に掲示された作業手順書を、カメラ等の撮像装置により撮像し、当該撮像された作業手順書の画像データを電気通信回線を介して施工管理者のコンピュータ（PC、端末等）に送信してもよい。これにより、施工管理者は現場から離れていても施工の進捗を管理できる。
【００５３】
次に、実施形態の情報処理装置を用いた作業手順書の作成方法、及び、情報処理装置を用いた作業手順書を使用した個別邸の施工方法について説明する。なお、実施形態の作業手順書の具体的な内容については上記で説明したため、重複する内容については説明を適宜省略する。
【００５４】
図５は、実施形態の個別邸の施工方法を実行するための情報処理装置のブロック図である。
【００５５】
システムバス２０８を介して、ＣＰＵ（Central Processing Unit）２０１、ＲＯＭ（Read Only Memory）２０２、ＲＡＭ（Random Access Memory）２０３、ＨＤＤ（Hard Disk Drive）２０５、外部Ｉ／Ｆ（Interface）２０６、及び、入力部２０７が接続される。ＣＰＵ２０１とＲＯＭ２０２とＲＡＭ２０３とで制御部２０４を構成する。
【００５６】
ＲＯＭ２０２は、ＣＰＵ２０１により実行されるプログラムや閾値を予め記憶する。
【００５７】
ＲＡＭ２０３は、ＣＰＵ２０１が実行するプログラムを展開するエリアと、プログラムによるデータ処理の作業領域となるワークエリアなどの様々なメモリエリア等を有する。
【００５８】
ＨＤＤ２０５は、入力部２０７から入力された画像データやテキストデータ等を記憶する。
【００５９】
外部Ｉ／Ｆ２０６は、例えばクライアント端末（ＰＣ）などの外部装置と通信するためのインターフェースである。外部Ｉ／Ｆ２０６は、外部装置とデータ通信を行うインターフェースであれば良く、たとえば、外部装置にローカルに接続する機器（ＵＳＢメモリ等）であってもよいし、ネットワークを介して通信するためのネットワークインターフェースであってもよい。
【００６０】
外部Ｉ／Ｆ２０６は、プリンタ等の印刷装置（不図示）と接続する。外部Ｉ／Ｆ２０６は、液晶ディスプレイ等の表示装置（不図示）と接続する。外部Ｉ／Ｆ２０６は、個々の職人が所有するスマートフォン、タブレット等の携帯端末に接続する。
【００６１】
入力部２０７は、キーボード、マウス、スキャナ（読取装置）等の入力装置である。
【００６２】
まず、個別邸の作業工程を決定する（ＳＴＥＰ１１）。各施工工程の作業に要する時間から、作業工程に割り当てる日、日付、時間、及び、時刻等の作業日程を決定し、入力部２０７から入力する（ＳＴＥＰ１２）。実施形態では、「１日目ＡＭ」、「１日目ＰＭ」、「２日目ＡＭ」、「２日目ＰＭ」内で、作業が完了しうる作業工程をグループ化して、各グループ内の作業工程に同じ時間を割り当てる。
【００６３】
個別邸の施工要領書から、各作業工程に、作業内容、注意事項、施工すべき部材を組み付ける寸法や方法、順番、使用すべき道具一覧、及び、工程で組みあがった寸法精度等の説明（テキスト等）を決定し、入力部２０７から入力する（ＳＴＥＰ１３）。
【００６４】
個別邸の基礎伏図、平面図、立面図、展開図、床伏図、小屋伏図、プレカット製作図、床・壁・屋根パネル製作図等の図書から、個別邸の３次元モデルを生成する（ＳＴＥＰ１４）。
【００６５】
３次元モデルから、各作業工程に対応する作業部位を３次元で説明する３次元図を作成し、入力部２０７から入力する（ＳＴＥＰ１５）。
【００６６】
制御部２０４は、入力された各作業工程に対応する作業日程、説明、３次元図を１枚の図にまとめて、各作業工程図を作成する（ＳＴＥＰ１６）。
【００６７】
制御部２０４は、所定数の作業工程図を作業工程順に並べて、１枚の図にまとめた作業手順書を生成する（ＳＴＥＰ１７）。１つの作業手順書に配列する作業工程図の数は、表示最大数、作業日程（例えば、1日中の時間、午前中の時間、または、午後中の時間、等）に応じて割り当てられた必要な複数の作業工程図を配列することでもよい。
【００６８】
制御部２０４は、生成した作業手順書を外部Ｉ／Ｆ２０６や電気通信回線を介してプリンタ（印刷装置：不図示）に送信し、プリンタは表示シート（防水シート等）に作業手順書を印刷する（ＳＴＥＰ１８）。
【００６９】
表示シートに印刷された作業手順書を、個別邸の建設現場に掲示して、個別邸の施工を行う（ＳＴＥＰ１９）。
【００７０】
制御部２０４は、生成した作業手順書を外部Ｉ／Ｆ２０６や電気通信回線を介して、現場に設置されたディスプレイ（表示装置：不図示）や現場の職人が有するタブレット、スマートフォン（携帯端末：不図示）へ作業手順書を送信し、個別邸の施工を行うことでもよい。
【００７１】
実施形態の個別邸の施工方法では、所定の作業が完了した場合には、現場に掲示された作業手順書を、カメラ等の撮像装置により撮像し、当該撮像された作業手順書の画像データを電気通信回線を介して施工管理者のコンピュータ（PC、端末等の情報処理装置）に送信してもよい。これにより、施工管理者は現場から離れていても施工の進捗を管理できる。
【００７２】
以上説明したように、実施形態の作業手順書及び個別邸の施工方法によれば、ログハウスの工法に不慣れな施工でも参入しやすく、近年の職人不足への有効と対策となる。
【００７３】
以上、実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００７４】
１００：作業手順書
１〜１６：作業工程図
１０１：日程表示部
１０２：説明表示部
１０３：３次元図表示部
【図１】
2020121432.tif 000003
【図２Ａ】
2020121432.tif 000004
【図２Ｂ】
2020121432.tif 000005
【図２Ｃ】
2020121432.tif 000006
【図２Ｄ】
2020121432.tif 000007
【図３】
2020121432.tif 000008
【図４】
2020121432.tif 000009
【図５】
2020121432.tif 000010